(57)【要約】【課題】  上板部にリブを追加して上板部の波打ち状の歪み変形を抑制するものでありながら、表面ひけの発生が抑制されて外観品位の低下が生じにくくなるスタンド台座を提供する。【解決手段】  音声映像機器の荷重を受け止める支持部２１を中央部に備える上板部２０と、上板部２０の外周囲のリブ状の縁枠部３０と、リブ状の主格子枠４０とを有する。縁枠部３０及び主格子枠４０の下端縁が着座面に載置されるように構成してある。主格子枠４０によって区画形成されている多数の格子空間４３を、内側格子空間群４３ａと外側格子区画群４３ｂとに分け、内側格子空間群４３ａに属する個々の格子空間４３に補助格子枠５０を設ける。補助格子枠５０は、上板部２０に表面引けが現れない程度の垂下長さに定めてある。【選択図】        図２
2010273295.tif 000002
【特許請求の範囲】
【請求項１】
音声映像機器の荷重を受け止める支持部を中央部に備える上板部と、この上板部の外周囲に連設されたリブ状の縁枠部と、この縁枠部と上記上板部とによって取り囲まれた空間に設けられてそれらの縁枠部と上板部と共に樹脂で格子状に一体成形されているリブ状の主格子枠とを有し、上記縁枠部及び上記主格子枠の上記上板部からの垂下長さが同一に定められて、それらの縁枠部の下端縁と上記主格子枠の下端縁とが着座面に載置されるように構成され、
上記主格子枠によって区画形成されている多数の格子空間が、上記支持部の周囲に位置する内側格子空間群と、この内側格子空間群の周囲の外側格子区画群と、に区別されていて、
上記内側格子空間群に属する個々の格子空間に、上記上板部と上記主格子枠と共に樹脂で格子状に一体成形された補助格子枠が備わり、その補助格子枠の上記上板部からの垂下長さを上記主格子枠の上記上板部からの垂下長さよりも短く定めることによって、上記補助格子枠の形成箇所で上記上板部に表面引けが現れないように構成してあることを特徴とする音声映像機器のスタンド台座。
【請求項２】
上記補助格子枠の上記上板部からの垂下長さは、その補助格子枠が上記上板部の裏面でシボ模様を形成する程度に定められている請求項１に記載した音声映像機器のスタンド台座。
【請求項３】
上記補助格子枠の上記上板部からの垂下長さが、補助格子枠形成箇所での上記上板部の厚さ寸法よりも短く定められている請求項２に記載した音声映像機器のスタンド台座。
【請求項４】
上記補助格子枠の上記上板部からの垂下長さが、当該補助格子枠に含まれる相隣接する平行な２筋のリブの相互間隔よりも短い請求項２又は請求項３に記載した音声映像機器のスタンド台座。
【発明の詳細な説明】
【技術分野】
【０００１】
本発明は、音声映像機器のスタンド台座、特に、テレビジョン受像機などの音声映像機器の重量に耐え得る強度を確保するために補強のためのリブを設ける、という手段を選択しているにもかかわらず、リブを設けたことに起因する「表面引け」を生じにくくして、外観品位の低下を抑えるという対策を講じた音声映像機器のスタンド台座に関する。
【背景技術】
【０００２】
音声映像機器の一例としての液晶型テレビジョン受像機を床面や設置ボックスなどの上に設置する場合、液晶型テレビジョン受像機に取り付けたスタンド台座を、床面や設置ボックスなどの上面である着座面の上に据え置くということが行われている。樹脂成形体で製作されているこの種のスタンド台座では、当該スタンド台座の肉厚を徒に厚くすることが現実的ではないので、そのスタンド台座をリブで補強することが行われていた。また、スタンド台座の曲り強度を高めるために、スタンド台座に板金製の補強板を重ね合わせるという対策が講じられることもあった。
【０００３】
たとえば、リブによって補強された従来例としてのスタンド台座は、音声映像機器の荷重を受け止める支持部を中央部に備える上板部と、この上板部の外周囲に連設されたリブ状の縁枠部と、この縁枠部と上記上板部とによって取り囲まれた空間に設けられてそれらの縁枠部と上板部と共に樹脂で格子状に一体成形されているリブ状の主格子枠とを有し、上記縁枠部及び上記主格子枠の上記上板部からの垂下長さが同一に定められて、それらの縁枠部の下端縁と上記主格子枠の下端縁とが着座面に載置されるように構成されている。この構成であると、スタンド台座の肉厚を徒に厚くすることなく、スタンド台座に要求される強度が確保される。また、板金製の補強板を重ね合わせたスタンド台座では、その肉厚を徒に厚くすることなく、補強板によってスタンド台座に要求される強度が確保される。
【０００４】
一方、従来より、画像形成装置のユニット筐体の歪みを防止する対策として、ユニット筐体に、リブで補強された補強領域と可撓部とを具備させることが提案されている（たとえば、特許文献１参照）。また、積載物を運搬するのに用いられるパレットの強度を向上させる対策として、高荷重が加わる部分の補強リブの設置密度を高め、それほどの高荷重が加わらない部分には補強リブの設置密度を低くすることも行われている。
【先行技術文献】
【特許文献】
【０００５】
【特許文献１】特開２００６−２３５５０８号公報
【特許文献２】特開２００１−３４１７４２号公報
【発明の概要】
【発明が解決しようとする課題】
【０００６】
上記した従来例によるスタンド台座は、縁枠部を有する上板部にリブ状の主格子枠が備わっていて、その主格子枠の作用で上板部が一応は補強されているけれども、上板部の中央部に位置している支持部に液晶型テレビジョン受像機の重量を負荷させると、その液晶型テレビジョン受像機が揺れ動かされたときなどには、上板部がその支持部の周囲で波打ち状に歪み変形するという事態の起こることがあった。そのため、そのような波打ち状の歪み変形を起こしにくくしてスタンド台座の支持安定性を高めることが要望された。
【０００７】
そこで、リブ状の主格子枠を形作っているリブの数を、上板部の支持部の周囲の波打ち状に歪み変形しやすい箇所で増加させ、かつ、それらの増加させたリブの上板部からの垂下長さを縁枠部の垂下長さと同一に定めるということを試みた。
【０００８】
しかしながら、その試みによると、上板部の支持部の周囲で主格子枠に含まれるリブの本数が多くなり、スタンド台座を樹脂で一体成形した場合に、リブの本数の多い箇所、すなわち、上板部の支持部の周囲で表面引けが顕著に発生してスタンド台座の外観品位が低下してしまうということが知見された。
【０００９】
これに対し、板金製の補強板を用いるものでは、上板部の表面引けを生じないものの、補強板を用いることが部品点数の増加やコスト高につながるという問題があった。
【００１０】
本発明は以上の状況の下でなされたものであり、上板部の支持部の周囲にリブを追加するものでありながら、そのリブの上板部からの垂下長さや形状などに工夫を講じることによって、板金製の補強板のようなコスト高をもたらす別部品を追加することなく、支持部の周囲での上板部の波打ち状の歪み変形を抑制すると共に、表面ひけの発生が抑制されて外観品位の低下を生じにくいスタンド台座を提供することを目的とする。
【課題を解決するための手段】
【００１１】
本発明に係るスタンド台座は、音声映像機器の荷重を受け止める支持部を中央部に備える上板部と、この上板部の外周囲に連設されたリブ状の縁枠部と、この縁枠部と上記上板部とによって取り囲まれた空間に設けられてそれらの縁枠部と上板部と共に樹脂で格子状に一体成形されているリブ状の主格子枠とを有する。そして、上記縁枠部及び上記主格子枠の上記上板部からの垂下長さが同一に定められて、それらの縁枠部の下端縁と上記主格子枠の下端縁とが着座面に載置されるように構成されている。
【００１２】
加えて、上記主格子枠によって区画形成されている多数の格子空間が、上記支持部の周囲に位置する内側格子空間群と、この内側格子空間群の周囲の外側格子区画群と、に区別されていて、上記内側格子空間群に属する個々の格子空間に、上記上板部と上記主格子枠と共に樹脂で格子状に一体成形された補助格子枠が備わり、その補助格子枠の上記上板部からの垂下長さを上記主格子枠の上記上板部からの垂下長さよりも短く定めることによって、上記補助格子枠の形成箇所で上記上板部に表面引けが現れないように構成してある。
【００１３】
この構成であれば、支持部の周囲での上板部の波打ち状の歪み変形が、主格子枠と補助格子枠との共働による補強作用によって抑制される。そして、補助格子枠の上板部からの垂下長さを主格子枠の上板部からの垂下長さよりも短く定めて、補助格子枠の形成箇所で上板部に表面引けが現れないように構成してあるので、上板部に表面引けが発生して当該スタンド台座の外観品位が低下するという事態が抑制される。
【００１４】
本発明において、上記補助格子枠の上記上板部からの垂下長さは、その補助格子枠が上記上板部の裏面でシボ模様を形成する程度に定められていることが望ましい。ここで「シボ模様を形成する程度」とは、補助格子枠が上板部の裏面でそれほど大きな凹凸を形成していない状態のことである。このようなシボ模様は、上記補助格子枠の上記上板部からの垂下長さを、補助格子枠形成箇所での上記上板部の厚さ寸法よりも短く定めることによって形成することができる。また、上記補助格子枠の上記上板部からの垂下長さを、当該補助格子枠に含まれる相隣接する平行な２筋のリブの相互間隔よりも短くすることによっても形成することができる。
【発明の効果】
【００１５】
以上のように、本発明に係るスタンド台座は、上板部の支持部の周囲にリブを追加することによって、支持部の周囲での上板部の波打ち状の歪み変形を抑制しているにもかかわらず、追加したリブによって形成される補助格子枠がシボ模様を形成するようにして、成形上の問題である上板部の表面引けの発生を抑制するという対策を講じている。その結果、本発明によると、波打ち状の歪み変形を生じにくいにもかかわらず、表面引けに起因する外観品位の低下を生じていないスタンド台座を、部品を追加することなく安価に提供することが可能になった。
【図面の簡単な説明】
【００１６】
【図１】本発明の実施形態に係るスタンド台座の使用状態を示した概略斜視図である。
【図２】スタンド台座を裏側から見た平面図である。
【図３】図２の要部の拡大図である。
【図４】図３のＩＶ−ＩＶ線に沿う断面図である。
【図５】主格子枠及び補助格子枠の外観を説明するための一部破断概略斜視図である。
【発明を実施するための形態】
【００１７】
図１は本発明の実施形態に係るスタンド台座の使用状態を示した概略斜視図である。また、図２はスタンド台座を裏側から見た平面図、図３は図２の要部の拡大図、図４は図３のＩＶ−ＩＶ線に沿う断面図、図５は主格子枠及び補助格子枠の外観を説明するための一部破断概略斜視図である。
【００１８】
図１に示した事例では、液晶型テレビジョン受像機Ｍがスタンド台座１０に取り付けられている。この実施形態では、スタンド台座１０に取り付けられている液晶型テレビジョン受像機Ｍを手で触れたときなどに、液晶型テレビジョン受像機Ｍと共にスタンド台座１０の上板部２０が波打ち状に歪み変形することを防止するための対策が講じられている。
【００１９】
図１又は図２に示したように、スタンド台座１０は、液晶型テレビジョン受像機Ｍなどを一例とする音声映像機器の荷重を受け止める支持部２１を中央部に備える上板部２０と、この上板部２０の外周囲に連設されて環状枠を形成しているリブ状の縁枠部３０と、この縁枠部３０と上板部２０とによって取り囲まれた空間に設けられて、それらの縁枠部３０と上板部２０と共に樹脂で格子状に一体成形されているリブ状の主格子枠４０とを有している。上板部２０は、その外周囲から中央部に近付くにつれて次第に膨らみ出た湾曲形状に形作られていて、その中央部には、上記支持部２１が横長凹入状に形成されている。また、縁枠部３０及び主格子枠４０の上板部２０からの垂下長さが同一に定められて、それらの縁枠部３０の下端縁と主格子枠４０の下端縁とが同一の仮想平面上に位置している。したがって、このスタンド台座１０を床面や棚型設置ボックスなどの上面である着座面（不図示）の上に置くと、それらの縁枠部３０や主格子枠４０の下端縁が上記着座面に載置される。上記主格子枠４０は、互いに交差して縦横に延びる多数のリブ４１，４２を有し、それらのリブ４１，４２によって多数の格子空間４３が形成されている。
【００２０】
上記した構成を有するスタンド台座１０は、その上板部２０が、上記した着座面に載置される縁枠部３０や主格子枠４０によって補強されていることにより、図１に示した使用状態、すなわち、上板部２０の支持部２１に液晶型テレビジョン受像機Ｍの荷重を受け止めさせている状態でも、その上板部２０が容易に波打ち状に歪み変形することはない。しかし、液晶型テレビジョン受像機Ｍに手が触れてその液晶型テレビジョン受像機が前側や後側に無理に押されるような事態が生じたときには、スタンド台座１０の上板部２０に曲げ力が加わり、その上板部２０が、特に主格子枠４０による補強作用に抗して支持部２１の周囲で波打ち状に歪み変形するという事態が起こり得る。
【００２１】
そこで、この実施形態では、スタンド台座１０の上板部２０の中央部領域、言い換えると支持部２１の周囲の領域を補助格子枠５０によって増強するという対策を講じている。すなわち、主格子枠４０によって区画形成されている多数の格子空間４３を、支持部２１の周囲に位置する内側格子空間群４３ａと、この内側格子空間群４３ａの周囲の外側格子区画群４３ｂとに区別している。その上で、内側格子空間群４３ａに属する個々の格子空間４３のそれぞれに補助格子枠５０を設けてある。
【００２２】
以下、図２〜図５を参照して補助格子枠５０を説明する。補助格子枠５０は、上板部２０を増厚することなく、上板部２０を増厚した場合に相応する曲り強度をその上板部２０に付与する作用を発揮する。
【００２３】
図３に示したように、補助格子枠５０は、互いに交差して縦横に延びる多数のリブ５１，５２を有している。そして、それらのリブ５１，５２が、主格子枠４０の縦横に延びるリブ４１，４２や上板部２０と共に樹脂で一体に成形されている。また、補助格子枠５０は、図４に示した上板部２０からの垂下長さＨ２が主格子枠４０の上板部２０からの垂下長さＨ１よりも短く定められている。この点に関しては、ただ単に補助格子枠５０の垂下長さＨ２を主格子枠４０の垂下長さＨ１よりも短く定めてあるだけでなく、補助格子枠５０の垂下長さＨ２を、補助格子枠５０の形成箇所で上板部２０に表面引けが現れない長さに定めてある。さらに具体的には、補助格子枠５０の垂下長さＨ２を、主格子枠４０の垂下長さＨ１よりも極端に短く定めることによって、図５に概略的に示したようにその補助格子枠５０が上板部２０の裏面でシボ模様を形成するようにしてある。補助格子枠５０によるシボ模様は、補助格子枠５０の垂下長さＨ２を、上板部２０の厚さ寸法Ｔ（図４）よりも短い長さに定めたり、当該補助格子枠５０に含まれる相隣接する平行な２筋のリブ５１，５１（又はリブ５２，５２）の相互間隔Ｓ（図４）よりも短い長さに定めたりすることによって実現することが可能である。
【００２４】
上記のように補助格子枠５０が上板部２０の裏面でシボ模様を形成するようにしてあると、上板部２０を補助格子枠５０の垂下長さ分だけ増厚させた場合に相応する程度の曲り強度がその上板部２０に付与される。しかも、スタンド台座１０を樹脂で一体成形したときに、上板部２０の補助格子枠５０の形成箇所に表面引けが生じにくいことを確認している。そのため、上板部２０の支持部２１の周囲の内側格子空間群４３ａの個々の格子空間４３にシボ模様を形成する補助格子枠５０を形成しておくことにより、上記支持部２１の周囲で上板部２０に大きな曲り強度が付与されるだけでなく、上板部２０に目で見て目立つような表面引けを生じることもなくなって、スタンド台座１０の外観品位の低下が防止される。その結果、スタンド台座１０の外観品位の低下をきたすことがないばかりか、上板部２０の支持部２１で荷重が受け止められている液晶型テレビジョン受像機Ｍ（図１参照）に手などが触れて、その液晶型テレビジョン受像機が前側や後側に無理に押されるような事態が生じたとしても、上板部２０が支持部２１の周囲で波打ち状に歪み変形するという事態が起こりにくくなり、スタンド台座２０の支持安定性が高まる。
【００２５】
この実施形態では、図２によって判るように、補助格子枠５０を設ける内側格子空間群４３ａに属する格子空間４３として、支持部２１を１重に取り巻いている格子空間４３…を選定してある。これは、補助格子枠５０を設けていないスタンド台座１０を対象として上板部２０に波打ち状の歪み変形が起こさせたときに、その歪み変形を生じた領域が、支持部２１を１重に取り巻いている格子空間４３…の位置する領域であったことによる。したがって、上板部の波打ち状の歪み変形がさらに広い領域で生じたときには、その領域に見合う範囲に位置している格子空間４３に補助格子枠を設ければよい。
【符号の説明】
【００２６】
Ｈ１  主格子枠の垂下長さ
Ｈ２  補助格子枠の垂下長さ
Ｍ  液晶型テレビジョン受像機（音声映像機器）
Ｔ  上板部の厚さ寸法
１０  スタンド台座
２０  上板部
２１  支持部
３０  縁枠部
４０  主格子枠
４３  主格子枠の格子空間
４３ａ  内側格子空間群
４３ｂ  外側格子区画群
５０  補助格子枠
５１，５２  補助格子枠のリブ
【図１】
2010273295.tif 000003
【図２】
2010273295.tif 000004
【図３】
2010273295.tif 000005
【図４】
2010273295.tif 000006
【図５】
2010273295.tif 000007